(57)【特許請求の範囲】
【請求項１】
画像を出力する画像出力装置であって、
ユーザによる操作要求を処理する操作制御手段と、
映像供給装置の表示画像および前記画像出力装置のＵＩを投影する投影手段と、
投影すべき画像を取得するポートの種類である入力種別と、投影すべき画像を形成する映像信号の取得元とが関連付けられたデータテーブルを記憶するデータテーブル記憶手段と、
現在の入力種別と、操作要求に対応するための映像信号の取得元とを使用して、映像信号の取得元を切り替える必要があるか否か判断する判断手段と、
前記操作要求に対応するための映像信号の取得元が、前記現在の入力種別に対応しない場合に、前記データテーブルに一致するように映像信号の取得元を切り替え、前記操作要求が示す処理を実行する制御手段と
を含み、
前記判断手段は、現在の入力種別に関連付けられた映像信号の取得元と、前記操作要求に対応するための映像信号の取得元とが前記データテーブルに関連付けられたものではない場合に、映像信号の取得元の切替が必要であると判断する、画像出力装置。
【請求項２】
前記画像出力装置は、前記ＵＩを作成するＵＩ作成手段をさらに含み、
前記制御手段は、前記操作要求が示す処理が実行可能であるか否か判断し、
前記投影手段は、前記処理が実行不能である場合に前記ＵＩの投影を継続する、請求項１に記載の画像出力装置。
【請求項３】
前記制御手段は、
前記操作要求を受信した場合に、前記ＵＩが投影されているときは、前記操作要求を記憶手段に保存し、
画像出力装置のＵＩを閉じる操作要求を受信した場合に、前記記憶手段に前記操作要求が保存されているか否か判断し、前記操作要求が保存されている場合に、前記操作要求が示す処理を実行する、請求項１に記載の画像出力装置。
【請求項４】
前記制御手段は、
前記操作要求を受信した場合に、前記ＵＩが投影されているときは、前記ＵＩが示す設定情報を記憶手段に保存して、前記ＵＩの投影を中止し、
前記操作要求が示す処理を実行した後、前記記憶手段に前記設定情報が存在する場合に、前記設定情報を反映したＵＩを再度投影する、請求項１に記載の画像出力装置。
【請求項５】
前記画像出力装置は、前記ＵＩを作成するＵＩ作成手段をさらに含み、
前記ＵＩ作成手段は、前記操作要求が示す処理が不可能である場合に、前記操作要求が示す処理が不可能であることを示すＵＩを作成し、
前記投影手段が前記ＵＩを投影する、請求項１に記載の画像出力装置。
【請求項６】
前記ＵＩには、メニュー画面、ダイアログ、メッセージウィンドウ、アイコン、およびヘルプが含まれる、請求項２または５に記載の画像出力装置。
【請求項７】
前記操作要求には、投影画像のアスペクト比の変更要求、前記画像出力装置の電源ＯＦＦ要求、光源の光量を変更するランプパワー変更要求、表示画像が投影される画像出力装置を切り替える入力切替要求、映像モード要求、および投影すべき映像の停止要求が含まれる、請求項１〜６のいずれか１項に記載の画像出力装置。
【請求項８】
画像を出力する画像出力装置が実行する方法であって、前記方法は、
ユーザによる操作要求を処理するステップと、
投影すべき画像を取得するポートの種類である入力種別と、投影すべき画像を形成する映像信号の取得元とが関連付けられたデータテーブルを参照し、現在の入力種別と、操作要求に対応するための映像信号の取得元とを使用して、映像信号の取得元を切り替える必要があるか否か判断するステップと、
前記操作要求に対応するための映像信号の取得元が、前記現在の入力種別に対応しない場合に、前記データテーブルに一致するように映像信号の取得元を切り替え、前記操作要求が示す処理を実行するステップとを含む、方法。
【請求項９】
請求項８に記載の各ステップを画像出力装置が実行するためのコンピュータ実行可能なプログラム。
【発明の詳細な説明】
【技術分野】
【０００１】
本発明は、任意の画像を出力する画像出力装置に関し、より詳細には、映像供給装置が提供する画像を出力する画像出力装置、方法およびプログラムに関する。
【背景技術】
【０００２】
従来、企業や教育機関、行政機関等における会議等において、パーソナルコンピュータ等の映像供給装置が出力する画像をスクリーンに投影する画像投影装置が利用されている。
【０００３】
通常、画像投影装置は、映像供給装置が出力する画像をスクリーンに投影するだけでなく、画像投影装置に対する種々の操作を要求可能なメニュー画面等のＵＩ（User Interface）をスクリーンに投影し、ユーザが所望する操作を要求することができる。
【０００４】
このような画像投影装置の一例として、特許文献１は、画像データを投影しているか否か判断し、画像データを投影している場合には、当該画像データと共にＵＩであるメニュー画面をスクリーンに投影し、ユーザがメニュー画面を用いて種々の操作を要求可能なプロジェクタを開示する。
【発明の概要】
【発明が解決しようとする課題】
【０００５】
しかしながら、特許文献１が開示するプロジェクタでは、メニュー画面を用いて、ネットワークに接続されたサーバから取得すべきファイルを選択して投影することができるものの、操作要求の内容によっては、例えば、投影画像のアスペクト比を変更するなどの操作要求をＵＩの投影中に実行できないという問題があった。
【０００６】
本発明は上述した課題を解決するものであり、メニュー画面等のＵＩを投影中でもユーザの発行した操作要求を実行可能な画像出力装置、方法およびプログラムを提供することを目的とする。
【課題を解決するための手段】
【０００７】
本発明の画像出力装置は、ユーザによる操作要求を処理する操作制御手段と、映像供給装置の表示画像および画像投影装置のＵＩを投影する投影手段と、投影すべき画像を取得するポートの種類である入力種別と、投影すべき画像を形成する映像信号の取得元とが関連付けられたデータテーブルを参照し、現在の入力種別と映像信号の取得元とを使用して、映像信号の取得元を切り替える必要があるか否か判断する手段と、映像信号の取得元を切り替える必要がある場合に、映像信号の取得元を切り替え、操作要求が示す処理を実行する制御手段とを含む。
【発明の効果】
【０００８】
本発明の画像出力装置は、上記構成を採用することにより、メニュー画面等のＵＩを投影中でもユーザの発行した操作要求を実行することができる。
【図面の簡単な説明】
【０００９】
【図１】本発明の画像投影システム１００を示す図。
【図２】本発明の画像投影装置１１０のハードウェア構成を示す図。
【図３】本発明の画像投影装置１１０が備えるメインボード２００および拡張ボード２１０の機能構成を示す図。
【図４】本発明の画像投影装置１１０が実行する処理のシーケンス図。
【図５】本発明の画像投影装置１１０が実行する処理のシーケンス図。
【図６】本発明の画像投影装置１１０が実行する処理を示すフローチャート。
【図７】入力種別と映像信号の取得元とが関連付けられたデータテーブルを示す図。
【図８】本発明の画像投影装置１１０が実行する処理を示すフローチャート。
【図９】本発明の画像投影装置１１０が実行する処理を示すフローチャート。
【図１０】図９に示す処理を実行する画像投影装置１１０が実行する処理を示すフローチャート。
【図１１】本発明の画像投影装置１１０が実行する処理を示すフローチャート。
【図１２】本発明の画像投影装置１１０が実行する処理を示すフローチャート。
【図１３】図１２に示す処理を実行する画像投影装置１１０が実行する処理を示すフローチャート。
【図１４】本発明の画像投影装置１１０が実行する処理を示すフローチャート。
【図１５】画像投影装置１１０が投影する画像の一実施形態を示す図。
【図１６】画像投影装置１１０が投影する画像の別の実施形態を示す図。
【発明を実施するための形態】
【００１０】
以下、本発明について実施形態をもって説明するが、本発明は後述する実施形態に限定されるものではない。
【００１１】
図１は、本発明の画像投影システム１００を示す。画像投影システム１００は、画像投影装置１１０と、映像供給装置１２０とを含んで構成されており、画像投影装置１１０および映像供給装置１２０は、ケーブル１２２によって接続される。
【００１２】
画像投影装置１１０は、映像供給装置１２０が提供する画像をスクリーン等の被投影体に投影する画像出力装置である。画像投影装置１１０は、映像供給装置１２０が提供する画像と共に、ユーザが種々の操作を指定可能なメニュー画面を投影する。画像投影装置１１０は、遠隔操作装置１１２からの操作要求を受信し、画像投影装置１１０が有する機能を実現する種々の操作を実行する。
【００１３】
画像投影装置１１０は、映像信号を入力するインタフェースとして、Ｄ−Ｓｕｂコネクタ等のＶＧＡ（Video Graphics Array）入力端子やＨＤＭＩ（High-Definition Multimedia Interface）端子、Ｓ−ＶＩＤＥＯ端子、ＲＣＡ端子等のビデオ入力端子を備えており、これらの端子に接続されたケーブル１２２を介して映像供給装置１２０から映像信号を受信する。
【００１４】
他の実施形態では、画像投影装置１１０は、Ｂｌｕｅｔｏｏｔｈ（登録商標）やＷｉＦｉ（登録商標）等の無線通信プロトコルに準拠した無線通信により、映像供給装置１２０から映像信号を受信してもよい。
【００１５】
映像供給装置１２０は、画像投影装置１１０が投影すべき画像を提供する装置である。映像供給装置１２０は、映像信号を出力するインタフェースを備えており、映像供給装置１２０の表示画像を形成する映像信号を所定の転送レート（例えば、３０ｆｐｓ（frame per second）〜６０ｆｐｓ）で画像投影装置１１０に送信する。
【００１６】
本実施形態の映像供給装置１２０は、映像信号を出力するインタフェースとしてＶＧＡ（Video Graphics Array）出力端子やＨＤＭＩ（High-Definition Multimedia Interface）端子、Ｓ−ＶＩＤＥＯ端子、ＲＣＡ端子等のビデオ出力端子を備えており、これらの端子に接続されたケーブル１２２を介して画像投影装置１１０に送信することができる。
【００１７】
他の実施形態では、映像供給装置１２０は、Ｂｌｕｅｔｏｏｔｈ（登録商標）やＷｉＦｉ（登録商標）等の無線通信プロトコルに準拠した無線通信により、画像投影装置１１０に映像信号を送信してもよい。
【００１８】
図１に示す実施形態では、映像供給装置１２０としてノート型ＰＣを採用するが、他の実施形態では、デスクトップ型ＰＣやタブレット型ＰＣ、ＰＤＡ等の映像信号を供給可能な情報処理装置を採用することができる。また、図１に示す実施形態では、画像投影装置１１０に１の映像供給装置１２０が接続されているが、本発明の画像投影装置１１０は、２以上の映像供給装置を接続することができる。
【００１９】
図２は、本発明の画像投影装置１１０のハードウェア構成を示す図である。画像投影装置１１０は、メインボード２００と、拡張ボード２１０と、映像形成部２２０と、光源２２１と、光源制御部２２２と、電源２２８と、映像信号入力インタフェース２３０とを含んで構成される。
【００２０】
メインボード２００は、画像投影装置１１０の全体制御を行う機能手段を搭載したプリント基板である。メインボード２００は、システム制御部２０１と、映像信号処理部２０２と、電源制御部２０３と、記憶部２０４と、映像形成制御部２０５とを含んでおり、これらの機能部を実現するＡＳＩＣ（Application Specific Integrated Circuit）等の集積回路によって構成することができる。
【００２１】
システム制御部２０１は、画像投影装置１１０の全体制御を行う機能手段である。システム制御部２０１は、映像信号処理部２０２、電源制御部２０３、記憶部２０４および映像形成制御部２０５とバスによって接続されており、これらの各機能部を制御する。
【００２２】
映像信号処理部２０２は、映像供給装置１２０が供給する映像信号を処理する機能手段である。映像信号処理部２０２は、映像信号入力インタフェース２３０を介して映像信号を受信し、当該映像信号にシリアル−パラレル変換や電圧レベル変換などの種々の処理を施す。
【００２３】
電源制御部２０３は、画像投影装置１１０に電力を供給する電源２２８を制御する機能手段である。電源制御部２０３は、システム制御部２０１の制御の下、電源２２８のＯＮ／ＯＦＦを行う。
【００２４】
記憶部２０４は、システム制御部２０１が処理する種々のデータを保存する不揮発性メモリである。本実施形態では、記憶部２０４としてＥＰＲＯＭやＥＥＰＲＯＭ、フラッシュメモリ等の種々の不揮発性半導体メモリを採用することができる。
【００２５】
映像形成制御部２０５は、映像を形成する機能手段である映像形成部２２０を制御する機能手段である。映像形成制御部２０５は、システム制御部２０１が生成する画像データを映像形成部２２０に供給し、当該画像データの映像を形成する。映像形成部２２０は、当該画像データの映像を形成し、光源２２１が生成する光が映像形成部２２０に照射されることにより、被投影体に当該画像データを投影する。画像投影装置１１０が液晶プロジェクタである場合には、映像形成部２２０として液晶採用することができる。また、画像投影装置１１０がＤＬＰ（Digital Light Processing）（登録商標）プロジェクタである場合には、映像形成部２２０としてＤＭＤ（Digital Micro-mirror Device）やカラーホイールを採用することができる。
【００２６】
光源制御部２２２は、光源２２１を制御する機能手段であり、システム制御部２０１の制御下で光源２２１の光量を調整する。本実施形態では、光源２２１として高圧水銀ランプ等のランプが使用される。
【００２７】
拡張ボード２１０は、ネットワーク通信や外部の記憶装置を制御する機能手段を有するプリント基板である。拡張ボード２１０は、システム制御部２１１と、ネットワークインタフェース２１２と、記憶装置インタフェース２１３と、記憶部２１４とを含んでおり、当該機能を実現するＡＳＩＣ（Application Specific Integrated Circuit）等の集積回路によって構成することができる。
【００２８】
システム制御部２１１は、ネットワーク２３０を介した通信や記憶装置２３２を制御する機能手段である。システム制御部２１１は、ネットワークインタフェース２１２、記憶装置インタフェース２１３および記憶部２１４とバスによって接続されている。
【００２９】
ネットワークインタフェース２１２は、ネットワーク２３０を介してデータを通信する機能手段である。ネットワークインタフェース２１２は、ネットワーク２３０から受信したデータをシステム制御部２１１に供給すると共に、システム制御部２１１から受信したデータをネットワーク２３０に送信する。ネットワークインタフェース２１２は、ＬＡＮケーブル等のネットワークケーブルを接続可能なポートを含んでおり、ネットワークケーブルを介した有線通信を行う。また、ネットワークインタフェース２１２は、Ｂｌｕｅｔｏｏｔｈ（登録商標）やＷｉＦｉ（登録商標）等の無線通信機能を備えており、無線通信によってデータ通信を行う。
【００３０】
記憶装置インタフェース２１３は、ＵＳＢメモリ等の可搬型の記憶装置２３２を接続するインタフェースである。記憶装置インタフェース２１３は、記憶装置２３２から静止画や動画などの画像データを取得し、システム制御部２１１に供給する。
【００３１】
記憶部２１４は、システム制御部２１１が処理する種々のデータを保存する不揮発性メモリである。本実施形態では、記憶部２１４としてＥＰＲＯＭやＥＥＰＲＯＭ、フラッシュメモリ等の種々の不揮発性半導体メモリを採用することができる。
【００３２】
また、画像投影装置１１０は、温度センサ２２３と、加速度センサ２２４と、表示部２２５と、操作部２２６と、受信部２２７と、冷却装置２２９とを含み、これらの機能部は、システム制御部２０１とバスによって接続される。
【００３３】
温度センサ２２３は、画像投影装置１１０内の温度を検知する手段である。温度センサ２２３は、検知した温度をシステム制御部２０１に通知する。
【００３４】
加速度センサ２２４は、画像投影装置１１０の加速度を検知する手段である。加速度センサ２２４は、検知した加速度をシステム制御部２０１に通知する。
【００３５】
表示部２２５は、ユーザに種々の情報を通知する表示手段であり、ＬＥＤインジケータや液晶パネルで構成される。表示部２２５は、システム制御部２０１から受信した表示すべき情報をＬＥＤインジケータや液晶パネルに表示する。
【００３６】
操作部２２６は、ユーザからの種々の操作要求を受け付ける機能手段であり、画像投影装置１１０の外面に設けられるキーボタン等によって構成される。操作要求には、投影している映像のアスペクト比の変更要求、画像投影装置１１０の電源ＯＦＦ要求、光源の光量を変更するランプパワー変更要求、複数の映像供給装置が接続されている場合に表示画像を投影すべき映像供給装置を切り替える入力切替要求、投影している映像の画質（高輝度や標準、ナチュラル等）を変更する映像モード変更要求、投影すべき映像を停止するフリーズ要求、投影すべき画像を取得するポートの種類である入力種別の切替要求、メインメニュー画面またはサブメニュー画面の表示要求、アスペクト比の変更要求、サブメニュー画面を閉じる要求などが含まれる。操作部２２６は、操作要求を受け付けると、当該操作要求をシステム制御部２０１に通知する。
【００３７】
受信部２２７は、遠隔操作装置１１２からの操作信号を受信する機能手段である。受信部２２７は、操作信号を受信すると、当該操作信号をシステム制御部２０１に通知する。
【００３８】
冷却装置２２９は、画像投影装置１１０を冷却する手段であり、冷却ファン等によって構成される。冷却装置２２９は、システム制御部２０１の制御下で駆動し、画像投影装置１１０を冷却する。
【００３９】
図３は、本発明の画像投影装置１１０が備えるメインボード２００および拡張ボード２１０の機能構成を示す図である。以下、メインボード２００のシステム制御部２０１および拡張ボード２１０のシステム制御部２１１の機能構成について説明する。
【００４０】
システム制御部２０１は、制御部３００と、ＵＩ作成部３０１と、操作制御部３０２と、投影部３０３と、ネットワークボードインタフェース３０４と、映像編集部３０５とを含んで構成される。
【００４１】
制御部３００は、システム制御部２０１の全体制御を行う機能手段である。制御部３００は、システム制御部２０１が有する他の機能手段や上述した機能手段を制御する。
【００４２】
ＵＩ作成部３０１は、メインボード２００が生成するメニュー画面（以下、「メインメニュー画面」とする。）やダイアログ、メッセージウィンドウ、アイコン、ヘルプなどのＵＩを作成する機能手段である。ＵＩ作成部３０１は、記憶部２０４からメインメニュー画面に表示される設定情報であるメニュー設定情報を読み出し、当該メニュー設定情報を反映したメインメニュー画面を作成する。ＵＩ作成部３０１は、当該メインメニュー画面を形成する映像信号を投影部３０３に送信する。なお、ＵＩ作成部３０１が作成するメインメニュー画面については、図１５を参照して詳細に説明する。
【００４３】
操作制御部３０２は、操作部２２６や遠隔操作装置１１２から種々の操作要求を受け付け、各操作要求に対応する機能手段に当該操作要求を通知する機能手段である。
【００４４】
投影部３０３は、映像形成制御部２０５を制御して画像データを投影する機能手段である。投影部３０３は、映像供給装置１２０から受信する画像を形成する映像信号、ＵＩ作成部３０１から取得するメインメニュー画面を形成する映像信号、拡張ボード２１０から取得するサブメニュー画面を形成する映像信号を映像形成制御部２０５に送信し、これらの画像データを投影させる。
【００４５】
ネットワークボードインタフェース３０４は、メインボード２００と拡張ボード２１０との間のデータ通信を行うインタフェースである。ネットワークボードインタフェース３０４は、サブメニュー画面の表示要求やサブメニュー画面を閉じる要求を拡張ボード２１０に送信すると共に、これらの応答信号やサブメニュー画面を形成する映像信号を拡張ボード２１０から受信する。
【００４６】
映像編集部３０５は、画像データを編集する機能手段である。映像編集部３０５は、投影すべき画像データのアスペクト比を変更するなどの編集を行い、編集した画像データを投影部３０３に送信して投影させる。
【００４７】
システム制御部２１１は、メインボードインタフェース３０６と、ＵＩ作成部３０７と、映像編集部３０８とを含んで構成される。
【００４８】
メインボードインタフェース３０６は、メインボード２００と拡張ボード２１０との間のデータ通信を行うインタフェースである。メインボードインタフェース３０６は、サブメニュー画面の表示要求やサブメニュー画面を閉じる要求をメインボード２００から受信すると、ＵＩ作成部３０７に通知すると共に、応答信号をメインボード２００に送信する。
【００４９】
ＵＩ作成部３０７は、拡張ボード２１０が生成するＵＩであるメニュー画面（以下、「サブメニュー画面」とする。）を作成する機能手段である。ＵＩ作成部３０７は、記憶部２１４からサブメニュー画面に表示される設定情報であるメニュー設定情報を読み出し、当該メニュー設定情報を反映したサブメニュー画面を作成する。ＵＩ作成部３０７は、当該サブメニュー画面を形成する映像信号を、メインボードインタフェース３０６を介してメインボード２００に送信する。なお、ＵＩ作成部３０７が作成するサブメニュー画面については、図１５を参照して詳細に説明する。
【００５０】
映像編集部３０８は、ネットワーク２３０または記憶装置２３２から取得した画像データを編集する機能手段である。映像編集部３０８は、編集した画像データを、メインボードインタフェース３０６を介してメインボード２００に送信する。
【００５１】
上述した機能手段を実現する本発明のプログラムは、ハードディスク装置、ＣＤ−ＲＯＭ、ＭＯ、フレキシブルディスク、ＥＥＰＲＯＭ、ＥＰＲＯＭなどの装置可読な記録媒体に格納して頒布することができ、また他装置が可能な形式でネットワークを介して伝送することができる。
【００５２】
図４は、本発明の画像投影装置１１０が実行する処理のシーケンス図である。以下、図４を参照して、画像投影装置１１０が、操作要求である入力種別の切替要求、メインメニュー画面の表示要求、サブメニュー画面の表示要求を受信した際の処理シーケンスおよび映像信号を受信した際の処理シーケンスについて説明する。
【００５３】
ユーザが操作部２２６や遠隔操作装置１１２を用いて入力種別の切替要求を発行すると、操作部２２６または受信部２２７は、当該切替要求を操作制御部３０２に通知する。操作制御部３０２は、入力種別の切替要求を受信すると、制御部３００に入力種別の切替要求を通知する。
【００５４】
制御部３００は、図７を参照して説明する投影すべき画像を取得するポートの種類である入力種別と、投影すべき画像を形成する映像信号の取得元とが関連付けられたデータテーブルを参照し、映像信号の取得元を、ユーザが指定した入力種別に対応する映像信号の取得元に切り替える。これにより、画像投影装置１１０が投影すべき映像の取得元が、ユーザが指定した入力種別に対応する映像信号の取得元に変更される。
【００５５】
制御部３００は、ユーザが指定した入力種別を示す情報と、画像投影装置１１０が投影している映像を形成する映像信号の取得元を示す情報とを記憶部２０４に保存する。
【００５６】
画像投影装置１１０が映像供給装置１２０から映像信号を受信すると、映像信号処理部２０２は、投影部３０３に映像信号を送信する。投影部３０３は、当該映像信号を映像形成制御部２０５に送信し、映像形成制御部２０５が、当該映像信号を用いて映像を形成し、映像供給装置１２０の表示画像を映像形成部２２０に投影させる。
【００５７】
ユーザが操作部２２６や遠隔操作装置１１２を用いてメインメニュー画面の表示要求を発行する場合、操作部２２６または受信部２２７は、当該表示要求をメインボード２００の操作制御部３０２に通知する。操作制御部３０２は、メインメニュー画面の表示要求を受信すると、ＵＩ作成部３０１にメインメニュー画面の表示要求を通知する。ＵＩ作成部３０１は、記憶部２０４からメニュー設定情報を取得し、当該メニュー設定情報を反映したメインメニュー画面を作成し、投影部３０３に送信する。投影部３０３は、当該メインメニュー画面を形成する映像信号を映像形成制御部２０５に送信し、映像形成制御部２０５が、映像形成部２２０に当該映像信号を送信してメインメニュー画面を投影させる。
【００５８】
ユーザが操作部２２６や遠隔操作装置１１２を用いてサブメニュー画面の表示要求を発行する場合、操作部２２６または受信部２２７は、当該表示要求をメインボード２００の操作制御部３０２に通知する。操作制御部３０２は、サブメニュー画面の表示要求を受信すると、ネットワークボードインタフェース３０４を介して拡張ボード２１０のメインボードインタフェース３０６に当該表示要求を通知する。
【００５９】
メインボードインタフェース３０６は、当該サブメニュー画面の表示要求を受信すると、ＵＩ作成部３０７にサブメニュー画面の表示要求を通知する。ＵＩ作成部３０７は、記憶部２１４からメニュー設定情報を取得し、当該メニュー設定情報を反映したサブメニュー画面を作成し、メインボードインタフェース３０６を介して、メインボード２００のネットワークボードインタフェース３０４に送信する。ネットワークボードインタフェース３０４は、当該サブメニュー画面を投影部３０３に送信し、投影部３０３が、当該サブメニュー画面を形成する映像信号を映像形成制御部２０５に送信する。映像形成制御部２０５は、映像形成部２２０に当該映像信号を送信してサブメニュー画面を投影させる。
【００６０】
次に、操作制御部３０２は、制御部３００に映像信号の取得元の切替要求を送信する。制御部３００は、映像信号の取得元を拡張ボード２１０に切り替える。これにより、画像投影装置１１０が投影すべき映像の取得元が拡張ボード２１０に変更され、画像投影装置１１０は、拡張ボード２１０が作成するサブメニュー画面を投影する。操作制御部３０２は、サブメニュー画面を投影前の映像信号の取得元を示す情報と、変更後の映像信号の取得元である拡張ボードを示す情報を記憶部２０４に保存する。
【００６１】
ユーザが操作部２２６や遠隔操作装置１１２を用いてサブメニュー画面を閉じる要求を発行する場合、操作部２２６または受信部２２７は、当該要求をメインボード２００の操作制御部３０２に通知する。操作制御部３０２は、サブメニュー画面を閉じる要求を受信すると、ネットワークボードインタフェース３０４を介して拡張ボード２１０のメインボードインタフェース３０６に当該要求を通知する。
【００６２】
メインボードインタフェース３０６は、当該サブメニュー画面を閉じる要求を受信すると、ＵＩ作成部３０７にサブメニュー画面を閉じる要求を通知する。ＵＩ作成部３０７は、当該サブメニュー画面に表示されているメニュー設定情報を記憶部２１４に保存し、メインボード２００へのサブメニュー画面の供給を停止する。
【００６３】
次に、操作制御部３０２は、制御部３００に映像信号の取得元の切替要求を送信する。制御部３００は、記憶部２０４に保存されているサブメニュー画面を投影前の映像信号の取得元を示す情報を参照し、映像信号の取得元を、サブメニュー画面を表示する前の映像信号の取得元に切り替える。これにより、画像投影装置１１０が投影すべき映像の取得元がサブメニュー画面を表示する前の映像信号の取得元に変更され、画像投影装置１１０は、サブメニュー画面を表示する前に投影していた映像を再び投影する。制御部３００は、映像信号の取得元である拡張ボードを示す情報を記憶部２０４に保存する。
【００６４】
図５は、本発明の画像投影装置１１０が実行する処理のシーケンス図である。以下、図５を参照して、画像投影装置１１０が、操作要求であるアスペクト比の変更要求を受信した際の処理シーケンスについて説明する。なお、本実施形態では、操作要求としてアスペクト比の変更要求を採用するが、画像投影装置１１０は、その他の操作要求を処理することができる。
【００６５】
ユーザが操作部２２６や遠隔操作装置１１２を用いてアスペクト比の変更要求を発行すると、操作部２２６または受信部２２７は、当該変更要求を操作制御部３０２に通知する。操作制御部３０２は、アスペクト比の変更要求を受信すると、制御部３００に当該変更要求を通知する。
【００６６】
制御部３００は、映像信号取得元の切替が必要か否か判断する。映像信号取得元の切替が必要であると判断した場合、制御部３００は、記憶部２０４に保存されているサブメニュー画面を投影前の映像信号の取得元を示す情報を参照し、映像信号取得元を、サブメニュー画面を表示前の映像信号取得元に変更する。次いで、制御部３００は、サブメニュー画面を閉じる要求を、ネットワークボードインタフェース３０４を介して拡張ボード２１０のメインボードインタフェース３０６に送信する。なお、入力種別の切替が必要ないと判断した場合には、入力種別の切り替えを行わず、また、サブメニュー画面を閉じない。
【００６７】
メインボードインタフェース３０６は、サブメニュー画面を閉じる要求を受信すると、ＵＩ作成部３０７に当該要求を通知する。ＵＩ作成部３０７は、メニュー設定情報を記憶部２１４に保存することなく、メインボード２００へのサブメニュー画面の供給を停止する。
【００６８】
次に、制御部３００は、投影中の映像のアスペクト比の変更が可能であるか否か判断する。アスペクト比の変更が可能であると判断した場合、制御部３００は、映像編集部３０５にアスペクト比の変更要求を送信する。映像編集部３０５は、投影中の映像のアスペクト比を変更し、編集した映像を投影部３０３に送信する。投影部３０３は、アスペクト比が変更された映像を形成する映像信号を映像形成制御部２０５に送信する。映像形成制御部２０５は、映像形成部２２０に当該映像信号を送信し、アスペクト比が変更された映像供給装置１２０の表示画像を投影させる。
【００６９】
図６は、本発明の画像投影装置１１０が実行する処理を示すフローチャートである。以下、図６を参照して、ユーザがアスペクト比の変更要求を発行した場合に画像投影装置１１０が実行する処理の一実施形態について説明する。なお、本実施形態では、操作要求としてアスペクト比の変更要求を採用するが、画像投影装置１１０は、その他の操作要求を処理することができる。
【００７０】
図６の処理は、ステップＳ６００から開始し、ステップＳ６０１で操作制御部３０２がアスペクト比の変更要求を制御部３００に通知し、制御部３００が、入力種別と映像信号の取得元とが関連付けられたデータテーブルを参照し、映像信号の取得元の切替が必要か否か判断する。具体的には、制御部３００は、当該データテーブルを参照し、画像投影装置１１０の入力種別に対応する映像信号の取得元と、現在の映像信号の取得元とが相違する場合には、映像信号の取得元の切替が必要であると判断する。なお、当該データテーブルについては、図７を参照して詳細に説明する。
【００７１】
ステップＳ６０１の判定で映像信号の取得元の切替が必要でないと判断した場合には（ｎｏ）、処理をステップＳ６０４に分岐する。一方、映像信号の取得元の切替が必要であると判断した場合には（ｙｅｓ）、処理をステップＳ６０２に分岐する。
【００７２】
ステップＳ６０２では、制御部３００は、記憶部２０４から現在の入力種別を示す情報を取得し、データテーブルを参照して当該入力種別に対応する映像信号の取得元を特定し、映像信号の取得元を当該特定した映像信号の取得元に変更する。ステップＳ６０３では、制御部３００は、サブメニュー画面を閉じる旨の要求を、拡張ボード２１０のＵＩ作成部３０７に送信して、サブメニュー画面を閉じる。
【００７３】
ステップＳ６０４では、制御部３００は、投影している映像のアスペクト比の変更が可能か否か判断する。本実施形態では、制御部３００は、映像信号を受信している場合には、アスペクト比の変更が可能であると判断し、映像信号を受信していない場合には、アスペクト比の変更が不可能であると判断する。
【００７４】
アスペクト比の変更が可能である場合には（ｙｅｓ）、処理をステップＳ６０５に分岐する。ステップＳ６０５では、映像編集部３０５が、投影している映像のアスペクト比を変更し、投影部３０３、映像形成制御部２０５および映像形成部２２０が当該映像を投影し、ステップＳ６０７で処理が終了する。
【００７５】
一方、ステップＳ６０４の判定でアスペクト比の変更が不可能であると判断した場合には（ｎｏ）、処理をステップＳ６０６に分岐する。ステップＳ６０６では、ＵＩ作成部３０１が、アスペクト比の変更が不可能である旨のＵＩを作成し、投影部３０３、映像形成制御部２０５および映像形成部２２０が当該ＵＩを投影し、ステップＳ６０７で処理が終了する。
【００７６】
図７は、入力種別と映像信号の取得元とが関連付けられたデータテーブルを示す図である。以下、図７を参照して入力種別と映像信号の取得元とが関連付けられたデータテーブル７００について説明する。
【００７７】
入力種別７１０は、投影すべき映像を取得するポートの種別であり、入力種別の切替画面を用いてユーザが任意に選択することができる。本実施形態では、映像供給装置と接続されるＶＧＡポートを示す「コンピュータ」、Ｙ／Ｐｂ／Ｐｒポートを示す「Ｙ／Ｐｂ／Ｐｒ」、ＨＤＭＩポートを示す「ＨＤＭＩ」、ビデオケーブルポートを示す「ビデオ」、ＵＳＢポートを示す「ＵＳＢメモリ」、ＬＡＮポートを示す「ネットワーク」が入力種別として使用される。
【００７８】
映像信号の取得元７２０は、メインボード２００が投影すべき映像を形成する映像信号の取得先である。本実施形態では、ＶＧＡケーブルの接続先またはＹ／Ｐｂ／Ｐｒケーブルの接続先を示す「コンピュータ」、ＨＤＭＩケーブルの接続先を示す「ＨＤＭＩ」、ビデオケーブルの接続先を示す「ビデオ」、拡張ボード２１０を示す「拡張ボード」が映像信号の取得元として使用される。
【００７９】
画像投影装置１１０は、映像供給装置１２０の表示画像または当該画像にメインメニュー画面を重畳して投影する場合には、映像信号の取得元を示す情報として映像供給装置であるコンピュータを示す情報が保存される。一方、サブメニュー画面を投影する場合には、画像投影装置１１０は、映像信号の取得元を示す情報として、サブメニュー画面を作成して提供する拡張ボード２１０を示す情報が保存される。
【００８０】
図８は、本発明の画像投影装置１１０が実行する処理を示すフローチャートである。以下、図８を参照して、ユーザがアスペクト比の変更要求を発行した場合に画像投影装置１１０が実行する処理の別の実施形態について説明する。なお、本実施形態では、操作要求としてアスペクト比の変更要求を採用するが、画像投影装置１１０は、その他の操作要求を処理することができる。
【００８１】
図８の処理は、ステップＳ８００から開始し、ステップＳ８０１で操作制御部３０２がアスペクト比の変更要求を制御部３００に通知し、制御部３００が、投影している映像のアスペクト比の変更が可能か否か判断する。アスペクト比の変更が可能である場合には（ｙｅｓ）、処理をステップＳ８０２に分岐する。ステップＳ８０２では、制御部３００は、入力種別と映像信号の取得元とが関連付けられたデータテーブルを参照し、映像信号の取得元の切替が必要か否か判断する。
【００８２】
映像信号の取得元の切替が必要であると判断した場合には（ｙｅｓ）、処理をステップＳ８０３に分岐する。ステップＳ８０３では、制御部３００は、記憶部２０４から現在の入力種別を示す情報を取得し、データテーブルを参照して当該入力種別に対応する映像信号の取得元を特定し、映像信号の取得元を当該特定した映像信号の取得元に変更する。ステップＳ８０４では、制御部３００は、サブメニュー画面を閉じる旨の要求を、拡張ボード２１０のＵＩ作成部３０７に送信して、サブメニュー画面を閉じる。
【００８３】
一方、ステップＳ８０２の判定で映像信号の取得元の切替が必要でないと判断した場合には（ｎｏ）、処理をステップＳ８０５に分岐する。
【００８４】
ステップＳ８０５では、映像編集部３０５が、投影している映像のアスペクト比を変更し、投影部３０３、映像形成制御部２０５および映像形成部２２０が当該映像を投影し、ステップＳ８０７で処理が終了する。
【００８５】
一方、ステップＳ８０１の判定でアスペクト比の変更が不可能であると判断した場合には（ｎｏ）、処理をステップＳ８０６に分岐する。ステップＳ８０６では、ＵＩ作成部３０１が、アスペクト比の変更が不可能である旨のＵＩを作成し、投影部３０３、映像形成制御部２０５および映像形成部２２０が当該ＵＩを投影し、ステップＳ８０７で処理が終了する。このとき、サブメニュー画面が投影されている場合には、投影部３０３、映像形成制御部２０５および映像形成部２２０は、当該ＵＩおよびサブメニュー画面を重畳して投影する。
【００８６】
図９は、本発明の画像投影装置１１０が実行する処理を示すフローチャートである。以下、図９を参照して、ユーザがアスペクト比の変更要求を発行した場合に画像投影装置１１０が実行する処理の他の実施形態について説明する。なお、本実施形態では、操作要求としてアスペクト比の変更要求を採用するが、画像投影装置１１０は、その他の操作要求を処理することができる。
【００８７】
図９の処理は、ステップＳ９００から開始し、ステップＳ９０１で操作制御部３０２がアスペクト比の変更要求を制御部３００に通知し、制御部３００が、サブメニュー画面が表示中であるか否か判断する。本実施形態では、制御部３００は、拡張ボード２１０からサブメニュー画面を形成する映像信号を受信しているか否かによってサブメニュー画面が表示中であるか否か判断することができる。
【００８８】
サブメニュー画面が表示中である場合には（ｙｅｓ）、処理をステップＳ９０２に分岐する。ステップＳ９０２では、制御部３００は、アスペクト比の変更要求を記憶部２０４に保存し、ステップＳ９０６で処理が終了する。
【００８９】
サブメニュー画面が表示中でない場合には（ｎｏ）、処理をステップＳ９０３に分岐する。ステップＳ９０３では、制御部３００は、投影している映像のアスペクト比の変更が可能か否か判断する。アスペクト比の変更が可能である場合には（ｙｅｓ）、処理をステップＳ９０４に分岐する。ステップＳ９０４では、映像編集部３０５が、投影している映像のアスペクト比を変更し、投影部３０３、映像形成制御部２０５および映像形成部２２０が当該映像を投影し、ステップＳ９０６で処理が終了する。
【００９０】
一方、アスペクト比の変更が不可能である場合には（ｎｏ）、処理をステップＳ９０５に分岐する。ステップＳ９０５では、ＵＩ作成部３０１が、アスペクト比の変更が不可能である旨のＵＩを作成し、投影部３０３、映像形成制御部２０５および映像形成部２２０が当該ＵＩを投影し、ステップＳ９０６で処理が終了する。
【００９１】
図１０は、図９に示す処理を実行する画像投影装置１１０が実行する処理を示すフローチャートである。以下、図１０を参照して、ユーザがサブメニュー画面を閉じる旨の要求を発行した場合に画像投影装置１１０が実行する処理について説明する。
【００９２】
図１０の処理は、ステップＳ１０００から開始し、ステップＳ１００１で操作制御部３０２がサブメニュー画面を閉じる旨の要求を制御部３００に通知し、制御部３００が、サブメニュー画面を閉じる旨の要求を、拡張ボード２１０のＵＩ作成部３０７に送信して、サブメニュー画面を閉じる。ステップＳ１００２では、制御部３００は、記憶部２０４からサブメニュー画面を表示する前の入力種別を示す情報を取得し、データテーブルを参照して当該入力種別に対応する映像信号の取得元を特定し、映像信号の取得元を当該特定した映像信号の取得元に変更する。
【００９３】
ステップＳ１００３では、制御部３００は、記憶部２０４を参照し、アスペクト比の変更要求が有るか否か判断する。アスペクト比の変更要求が無い場合には（ｎｏ）、処理をステップＳ１００７に分岐して終了する。
【００９４】
一方、アスペクト比の変更要求が有る場合には（ｙｅｓ）、処理をステップＳ１００４に分岐する。ステップＳ１００４では、制御部３００は、投影している映像のアスペクト比の変更が可能か否か判断する。アスペクト比の変更が可能である場合には（ｙｅｓ）、処理をステップＳ１００５に分岐する。ステップＳ１００５では、映像編集部３０５が、投影している映像のアスペクト比を変更し、投影部３０３、映像形成制御部２０５および映像形成部２２０が当該映像を投影し、ステップＳ１００７で処理が終了する。
【００９５】
一方、アスペクト比の変更が不可能である場合には（ｎｏ）、処理をステップＳ１００６に分岐する。ステップＳ１００６では、ＵＩ作成部３０１が、アスペクト比の変更が不可能である旨のＵＩを作成し、投影部３０３、映像形成制御部２０５および映像形成部２２０が当該ＵＩを投影し、ステップＳ１００７で処理が終了する。
【００９６】
図１１は、本発明の画像投影装置１１０が実行する処理を示すフローチャートである。以下、図１１を参照して、ユーザがアスペクト比の変更要求を発行した場合に画像投影装置１１０が実行する処理の他の実施形態について説明する。なお、本実施形態では、操作要求としてアスペクト比の変更要求を採用するが、画像投影装置１１０は、その他の操作要求を処理することができる。
【００９７】
図１１の処理は、ステップＳ１１００から開始し、ステップＳ１１０１で操作制御部３０２がアスペクト比の変更要求を制御部３００に通知し、制御部３００が、入力種別と映像信号の取得元とが関連付けられたデータテーブルを参照し、映像信号の取得元の切替が必要か否か判断する。
【００９８】
映像信号の取得元の切替が必要であると判断した場合には（ｙｅｓ）、処理をステップＳ１１０２に分岐する。ステップＳ１１０２では、制御部３００は、サブメニュー画面が表示中であったことを示す情報を記憶部２０４に保存する。ステップＳ１１０３では、制御部３００は、記憶部２０４から現在の入力種別を示す情報を取得し、データテーブルを参照して当該入力種別に対応する映像信号の取得元を特定し、映像信号の取得元を当該特定した映像信号の取得元に変更する。ステップＳ１１０４では、制御部３００は、サブメニュー画面を閉じる旨の要求を、拡張ボード２１０のＵＩ作成部３０７に送信して、サブメニュー画面を閉じる。
【００９９】
一方、ステップＳ１１０１の判定で映像信号の取得元の切替が必要でないと判断した場合には（ｎｏ）、処理をステップＳ１１０５に分岐する。ステップＳ１１０５では、制御部３００は、投影している映像のアスペクト比の変更が可能か否か判断する。アスペクト比の変更が可能である場合には（ｙｅｓ）、処理をステップＳ１１０６に分岐する。ステップＳ１１０６では、映像編集部３０５が、投影している映像のアスペクト比を変更し、投影部３０３、映像形成制御部２０５および映像形成部２２０が当該映像を投影する。
【０１００】
一方、ステップＳ１１０５の判定でアスペクト比の変更が不可能であると判断した場合には（ｎｏ）、処理をステップＳ１１０７に分岐する。ステップＳ１１０７では、ＵＩ作成部３０１が、アスペクト比の変更が不可能である旨のＵＩを作成し、投影部３０３、映像形成制御部２０５および映像形成部２２０が当該ＵＩを投影する。
【０１０１】
ステップＳ１１０８では、制御部３００は、記憶部２０４を参照し、サブメニュー画面が表示中であったことを示す情報の有無を判断し、サブメニュー画面が表示されていたか否か判断する。サブメニュー画面が表示されていた場合には（ｙｅｓ）、処理をステップＳ１１０９に分岐する。ステップＳ１１０９では、制御部３００は、サブメニュー画面の表示要求を拡張ボード２１０に送信して、サブメニュー画面を作成させ、投影部３０３、映像形成制御部２０５および映像形成部２２０が当該サブメニュー画面を投影する。
【０１０２】
一方、サブメニュー画面が表示されていなかった場合には（ｎｏ）、ステップＳ１１１０に処理を分岐して終了する。
【０１０３】
図１２は、本発明の画像投影装置１１０が実行する処理を示すフローチャートである。以下、図１２を参照して、ユーザがアスペクト比の変更要求を発行した場合に画像投影装置１１０が実行する処理の他の実施形態について説明する。なお、本実施形態では、操作要求としてアスペクト比の変更要求を採用するが、画像投影装置１１０は、その他の操作要求を処理することができる。
【０１０４】
図１２の処理は、ステップＳ１２００から開始し、ステップＳ１２０１で操作制御部３０２がアスペクト比の変更要求を制御部３００に通知し、制御部３００が、入力種別と映像信号の取得元とが関連付けられたデータテーブルを参照し、映像信号の取得元の切替が必要か否か判断する。
【０１０５】
映像信号の取得元の切替が必要であると判断した場合には（ｙｅｓ）、処理をステップＳ１２０２に分岐する。ステップＳ１２０２では、制御部３００は、記憶部２０４から現在の入力種別を示す情報を取得し、データテーブルを参照して当該入力種別に対応する映像信号の取得元を特定し、映像信号の取得元を当該特定した映像信号の取得元に変更する。ステップＳ１２０３では、制御部３００は、サブメニュー画面を閉じる旨の要求を、拡張ボード２１０のＵＩ作成部３０７に送信して、サブメニュー画面を閉じる。ステップＳ１２０４では、ＵＩ作成部３０７は、サブメニュー画面に表示されていたメニュー設定情報を記憶部２１４に保存する。
【０１０６】
一方、ステップＳ１２０１の判定で映像信号の取得元の切替が必要でないと判断した場合には（ｎｏ）、処理をステップＳ１２０５に分岐する。ステップＳ１２０５では、制御部３００は、投影している映像のアスペクト比の変更が可能か否か判断する。アスペクト比の変更が可能である場合には（ｙｅｓ）、処理をステップＳ１２０６に分岐する。ステップＳ１２０６では、映像編集部３０５が、投影している映像のアスペクト比を変更し、投影部３０３、映像形成制御部２０５および映像形成部２２０が当該映像を投影し、ステップＳ１２０８で処理が終了する。
【０１０７】
一方、ステップＳ１２０５の判定でアスペクト比の変更が不可能であると判断した場合には（ｎｏ）、処理をステップＳ１２０７に分岐する。ステップＳ１２０７では、ＵＩ作成部３０１が、アスペクト比の変更が不可能である旨のＵＩを作成し、投影部３０３、映像形成制御部２０５および映像形成部２２０が当該ＵＩを投影し、ステップＳ１２０８で処理が終了する。
【０１０８】
図１３は、図１２に示す処理を実行する画像投影装置１１０が実行する処理を示すフローチャートである。以下、図１３を参照して、ユーザがサブメニュー画面の表示要求を発行した場合に画像投影装置１１０が実行する処理について説明する。
【０１０９】
図１３の処理は、ステップＳ１３００から開始し、ステップＳ１３０１で操作制御部３０２が、ネットワークボードインタフェース３０４を介して、サブメニュー画面の表示要求を拡張ボード２１０に通知する。そして、拡張ボード２１０のＵＩ作成部３０７が、記憶部２１４を参照し、メニュー設定情報が保存されているか否か判断する。
【０１１０】
メニュー設定情報が保存されていない場合には（ｎｏ）、ステップＳ１３０３でＵＩ作成部３０７は、初期状態のサブメニュー画面を作成し、メインボード２００の投影部３０３に送信する。一方、メニュー設定情報が保存されている場合には（ｙｅｓ）、処理をステップＳ１３０２に分岐する。ステップＳ１３０２では、ＵＩ作成部３０７は、当該メニュー設定情報を反映したサブメニュー画面を作成し、メインボード２００の投影部３０３に送信する。
【０１１１】
ステップＳ１３０４では、投影部３０３、映像形成制御部２０５および映像形成部２２０が当該サブメニュー画面を投影する。ステップＳ１３０５では、制御部３００は、映像信号の取得元を、当該サブメニュー画面を供給する拡張ボードに変更し、ステップＳ１３０６で処理が終了する。
【０１１２】
図１４は、本発明の画像投影装置１１０が実行する処理を示すフローチャートである。以下、図１４を参照して、ユーザがアスペクト比の変更要求を発行した場合に画像投影装置１１０が実行する処理の他の実施形態について説明する。なお、本実施形態では、操作要求としてアスペクト比の変更要求を採用するが、画像投影装置１１０は、その他の操作要求を処理することができる。
【０１１３】
図１４の処理は、ステップＳ１４００から開始し、ステップＳ１４０１で操作制御部３０２がアスペクト比の変更要求を制御部３００に通知し、制御部３００が、投影している映像のアスペクト比の変更が可能か否か判断する。アスペクト比の変更が可能である場合には（ｙｅｓ）、処理をステップＳ１４０２に分岐する。ステップＳ１４０２では、映像編集部３０５が、投影している映像のアスペクト比を変更し、投影部３０３、映像形成制御部２０５および映像形成部２２０が当該映像を投影し、ステップＳ１４０４で処理が終了する。
【０１１４】
一方、ステップＳ１４０１の判定でアスペクト比の変更が不可能であると判断した場合には（ｎｏ）、処理をステップＳ１４０３に分岐する。ステップＳ１４０３では、ＵＩ作成部３０１が、アスペクト比の変更が不可能である旨のＵＩを作成し、投影部３０３、映像形成制御部２０５および映像形成部２２０が当該ＵＩを投影し、ステップＳ１４０４で処理が終了する。
【０１１５】
図１５は、画像投影装置１１０が投影する画像の一実施形態を示す図である。以下、図１５を参照して、画像投影装置１１０の投影画像について説明する。
【０１１６】
画像１５００は、画像投影装置１１０が被投影体に投影する映像提供装置１２０の表示画像である。画像１５１０は、画像１５００にメインメニュー画面１５１２を重畳した投影画像である。画像１５２０は、画像１５００にメインメニュー画面１５２２を重畳した投影画像である。
【０１１７】
本実施形態の画像投影装置１１０が処理するメインメニュー画面１５１２，１５２２は、複数のタブを備えており、タブを切り替えることにより、メインメニュー画面１５１２，１５２２が相互に切り替わる。
【０１１８】
画像１５３０は、画像投影装置１１０が被投影体に投影するサブメニュー画面１５３２を含む画像である。サブメニュー画面１５３２は、メインメニュー画面１５１２，１５２２のメニューを選択することによって表示されるメニュー画面である。図１５に示す実施形態では、メインメニュー画面１５２２のメニュー「ネットワーク設定」が選択されることにより、ネットワーク設定を行うサブメニュー画面１５３２が表示される。
【０１１９】
図１６は、画像投影装置１１０が投影する画像の別の実施形態を示す図である。以下、図１６を参照して、画像投影装置１１０の投影画像について説明する。
【０１２０】
画像１６００は、画像投影装置１１０が被投影体に投影するサブメニュー画面を含む画像である。画像１６００は、メインボード２００のＵＩ作成部３０１が作成するＵＩ１６１０を含んでいる。ＵＩ作成部３０１は、拡張ボード２１０のＵＩ作成部３０７が作成するサブメニュー画面にＵＩ１６１０を重畳した画像を作成することができる。ＵＩ１６１０は、サブメニュー画面を閉じるＵＩであるが、ＵＩ作成部３０１が作成するＵＩは、これに限られず、例えば、アスペクト比の変更が不可能である旨を通知するＵＩ等も含まれる。
【０１２１】
画像１６２０は、ユーザが画像投影装置１１０の入力種別を切り替え可能なメニュー画面である。画像投影装置１１０は、映像信号取得元を、当該メニュー画面でユーザが選択した入力種別に対応する映像信号取得元に切り替える。本実施形態では、メインボード２００のＵＩ作成部３０１が当該メニュー画面を作成する。
【０１２２】
これまで本実施形態につき説明してきたが、本発明は、上述した実施形態に限定されるものではなく、本実施形態の構成要素を変更若しくは削除し、または本実施形態の構成要素を他の構成要素を追加するなど、当業者が想到することができる範囲内で変更することができ、いずれの態様においても本発明の作用効果を奏する限り、本発明の範囲に含まれるものである。
【符号の説明】
【０１２３】
１００…画像投影システム、１１０…画像投影装置、１１２…遠隔操作装置、１２０…映像供給装置、１２２…ケーブル
【先行技術文献】
【特許文献】
【０１２４】
【特許文献１】特許第４１８６４６５号公報
【図１】
0006035743.tif 000002
【図２】
0006035743.tif 000003
【図３】
0006035743.tif 000004
【図４】
0006035743.tif 000005
【図５】
0006035743.tif 000006
【図６】
0006035743.tif 000007
【図７】
0006035743.tif 000008
【図８】
0006035743.tif 000009
【図９】
0006035743.tif 000010
【図１０】
0006035743.tif 000011
【図１１】
0006035743.tif 000012
【図１２】
0006035743.tif 000013
【図１３】
0006035743.tif 000014
【図１４】
0006035743.tif 000015
【図１５】
0006035743.tif 000016
【図１６】
0006035743.tif 000017